(57)【要約】【課題】不要輻射対策を簡単な構成で実現するディスプレイ装置を提供することを目的とする。【解決手段】表示パネル２０を金属製の保持板２１の前面側に保持した表示モジュールと、前記表示パネルの前面側に配置された電磁遮蔽フィルタ２６と、前記表示パネル２０の周縁部に配置され前記電磁遮蔽フィルタ２６と前記保持板２１とを電気的に接続する枠体形状の金属製のフレーム２４とを備え、一端が前記保持板に電気的に接続されるとともに、他端が前記電磁遮蔽フィルタ２６の端部の導電部に導電性ガスケット３３を介して電気的に当接される接地金具２８を設け、かつ前記フレーム２４は、前記接地金具２８にねじ３１で固定することにより、前記電磁遮蔽フィルタ２６の端部を接地金具２８とともに挟時した。【選択図】図４
2013019980.tif 000002
【特許請求の範囲】
【請求項１】
表示パネルを金属製の保持板の前面側に保持しかつ保持板の背面側に表示パネルに画像を表示するための駆動回路を搭載した回路基板を配置して構成した表示モジュールと、前記表示パネルの前面側に配置された電磁遮蔽フィルタと、前記表示パネルの周縁部に配置され前記電磁遮蔽フィルタと前記保持板とを電気的に接続する枠体形状の金属製のフレームとを備え、一端が前記保持板に電気的に接続されるとともに、他端が前記電磁遮蔽フィルタの端部の導電部に導電性を有する弾性部材を介して電気的に当接される接地金具を設け、かつ前記フレームは、前記接地金具にねじで固定することにより、前記電磁遮蔽フィルタの端部を前記弾性部材を介して接地金具とともに挟時したことを特徴とするディスプレイ装置。
【発明の詳細な説明】
【技術分野】
【０００１】
本発明は、薄型、軽量のプラズマディスプレイパネル（以下、パネルという）を表示デバイスとして用いたプラズマディスプレイ装置などの平面型のディスプレイ装置に関するものである。
【背景技術】
【０００２】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のものである。
【０００３】
この面放電型のプラズマディスプレイパネル構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなプラズマディスプレイ装置においては、ガラスが主材料のパネルをアルミニウムなどの金属製のシャーシ部材の前面側に保持させ、そのシャーシ部材の背面側にパネルを発光させるための駆動回路を構成する回路基板を配置することによりモジュールを構成している（特許文献１参照）。
【先行技術文献】
【特許文献】
【０００６】
【特許文献１】特開２００５−３３１５５６号公報
【発明の概要】
【発明が解決しようとする課題】
【０００７】
本発明はこのような現状に鑑みなされたもので、不要輻射対策を簡単な構成で実現することを目的とするものである。
【課題を解決するための手段】
【０００８】
上記目的を達成するために本発明のディスプレイ装置は、表示パネルを金属製の保持板の前面側に保持しかつ保持板の背面側に表示パネルに画像を表示するための駆動回路を搭載した回路基板を配置して構成した表示モジュールと、前記表示パネルの前面側に配置された電磁遮蔽フィルタと、前記表示パネルの周縁部に配置され前記電磁遮蔽フィルタと前記保持板とを電気的に接続する枠体形状の金属製のフレームとを備え、一端が前記保持板に電気的に接続されるとともに、他端が前記電磁遮蔽フィルタの端部の導電部に導電性を有する弾性部材を介して電気的に当接される接地金具を設け、かつ前記フレームは、前記接地金具にねじで固定することにより、前記電磁遮蔽フィルタの端部を前記弾性部材を介して接地金具とともに挟時したことを特徴とする。
【発明の効果】
【０００９】
本発明によれば、一端が前記保持板に電気的に接続されるとともに、他端が前記電磁遮蔽フィルタの端部の導電部に導電性を有する弾性部材を介して電気的に当接される接地金具を設け、かつ前記フレームは、前記接地金具にねじで固定することにより、前記電磁遮蔽フィルタの端部を前記弾性部材を介して接地金具とともに挟時した構成としたことにより、不要輻射対策を簡単な構成で実現することができる。
【図面の簡単な説明】
【００１０】
【図１】本発明の一実施の形態によるプラズマディスプレイ装置に用いるパネルの要部を示す斜視図
【図２】同パネルの電極配列図
【図３】同プラズマディスプレイ装置の外観を示す斜視図
【図４】プラズマディスプレイ装置の要部構造を示す断面図
【図５】同プラズマディスプレイ装置の要部構造を示す分解斜視図
【発明を実施するための形態】
【００１１】
以下、本発明の一実施の形態によるディスプレイ装置について、プラズマディスプレイ装置を例にとって、図１〜図５を用いて説明するが、本発明の実施の態様はこれに限定されるものではない。
【００１２】
まず、プラズマディスプレイ装置におけるパネルの構造について図１を用いて説明する。図１に示すように、パネルは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３および維持電極４を覆うように誘電体層５が形成され、誘電体層５上には保護層６が形成されている。
【００１３】
また、背面基板２上には絶縁体層７で覆われた複数のデータ電極８が設けられ、その絶縁体層７上には井桁状の隔壁９が設けられている。また、絶縁体層７の表面および隔壁９の側面に蛍光体層１０が設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１４】
図２はこのパネルの電極配列図である。行方向にｎ本の走査電極ＳＣ１〜ＳＣｎ（図１の走査電極３）およびｎ本の維持電極ＳＵ１〜ＳＵｎ（図１の維持電極４）が配列され、列方向にｍ本のデータ電極Ｄ１〜Ｄｍ（図１のデータ電極８）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１５】
図３は上記で説明した構造のパネルを組み込んだ本発明の一実施の形態によるプラズマディスプレイ装置の外観を示す斜視図、図４に上記で説明した構造のパネルを組み込んだ本発明の一実施の形態によるプラズマディスプレイ装置の要部構造を示す断面図、図５は図４に示すプラズマディスプレイ装置の要部構造を示す斜視図である。
【００１６】
図３〜図５に示すように、表示パネル２０は、アルミニウムなどの金属製の保持板２１の前面側に熱伝導性シート２２により保持されている。この保持板２１の背面側には、表示パネル２０に画像を表示するための駆動回路を搭載した回路基板２３が配置され、これにより表示モジュールが構成されている。前記表示モジュールは、アルミニウムやステンレスなどの金属製のフレーム２４と表示モジュールの背面側を覆う金属製のバックカバー２５とからなる外装キャビネットに収容される。
【００１７】
前記表示パネル２０の前面側には、電磁遮蔽フィルタ２６を含む光学フィルタが接着層２７により接着されて配置されている。また、電磁遮蔽フィルタ２６の端部の導電部２６ａには、導電性を有する弾性部材としての導電性ガスケット３３を介して接地金具２８が電気的に当接されている。この接地金具２８は、一端が前記保持板２１の端部にねじ２９により電気的に接続されている。また、この接地金具２８には、バックカバー２５の端部がねじ３０により電気的に接続されている。
【００１８】
前記フレーム２４は、前記接地金具２８にねじ３１で固定することにより、前記電磁遮蔽フィルタ２６の端部を前記導電性ガスケットを介して接地金具２８とともに挟時しており、これにより電磁遮蔽フィルタ２６は、接地金具２８を介して保持板に２１に電気的に接続されている。
【００１９】
また、表示パネル２０の端子部は、フレキシブル配線板３２を介して回路基板２３に搭載したコネクタ２３ａに電気的に接続されている。
【００２０】
図５に示すように、前記フレーム２４は、断面コの字形状の先端部２４ａを保持板２１に電気的に接続している接地金具２８、導電性ガスケット３３、電磁遮蔽フィルタ２６にはめ込み、この状態で接地金具２８にねじ３１で取り付けることにより、前記電磁遮蔽フィルタ２６の端部が前記導電性ガスケット３３を介して接地金具２８とともに挟時されている。
【００２１】
すなわち、接地金具２８とフレーム２４とにより、電磁遮蔽フィルタ２６の取り付けを簡単に行うことができるとともに、電磁遮蔽フィルタ２６が保持板２１に電気的に接続されることとなる。
【００２２】
以上説明したように本発明においては、一端が前記保持板２１に電気的に接続されるとともに、他端が前記電磁遮蔽フィルタ２６の端部の導電部２６ａに導電性ガスケット３３を介して電気的に当接される接地金具２８を設け、かつフレーム２４は、前記接地金具２８にねじ３１で固定することにより、前記電磁遮蔽フィルタ２６の端部を導電性ガスケット３３を介して接地金具２８とともに挟時した構成としたことにより、不要輻射対策を簡単な構成で実現することができる。
【産業上の利用可能性】
【００２３】
以上のように本発明によれば、不要輻射対策を簡単な構成で実現する上で有用な発明である。
【符号の説明】
【００２４】
２０  表示パネル
２１  保持板
２４  フレーム
２６  電磁遮蔽フィルタ
２６ａ  導電部
２８  接地金具
２９、３０、３１  ねじ
【図１】
2013019980.tif 000003
【図２】
2013019980.tif 000004
【図３】
2013019980.tif 000005
【図４】
2013019980.tif 000006
【図５】
2013019980.tif 000007